(57)【要約】【課題】  沈殿槽内の面積を有効に利用して効率よく被処理水を処理水と汚泥とに分離し、良好な処理水を得ることのできる沈殿槽装置を提供する。【解決手段】  沈殿槽１１の中央にフィードウェル２１が配置され、このフィードウェル２１の下側に、フィードウェル２１と所定間隔をあけて整流板３１が配置された沈殿槽装置において、整流板３１を平板にする。【選択図】    図１
2005066533.tif 000002
【特許請求の範囲】
【請求項１】
沈殿槽の中央にフィードウェルが配置され、このフィードウェルの下側に、前記フィードウェルと所定間隔をあけて整流板が配置された沈殿槽装置において、
前記整流板を平板にした、
ことを特徴とする沈殿槽装置。
【請求項２】
請求項１に記載の沈殿槽装置において、
前記フィードウェルと前記整流板との間の開口部の高さ方向の位置を調整可能にした、
ことを特徴とする沈殿槽装置。
【請求項３】
沈殿槽の中央にフィードウェルが配置された沈殿槽装置において、
前記フィードウェルの下端部分に開口部を設け、
前記フィードウェルの下端に平板からなる整流板を取り付け、
前記開口部の高さ方向の位置を調整可能にした、
ことを特徴とする沈殿槽装置。
【請求項４】
請求項３に記載の沈殿槽装置において、
前記フィードウェルは、固定フィードウェルと、この固定フィードウェルの内面または外面に沿って高さ方向へ摺動し、少なくとも下端部分に前記開口部が形成された整流板支持部材とを備え、
この整流板支持部材の下端に前記整流板を取り付けた、
ことを特徴とする沈殿槽装置。
【請求項５】
請求項３に記載の沈殿槽装置において、
前記フィードウェルは、固定フィードウェルと、この固定フィードウェルの内側または外側を高さ方向へ移動する可動フィードウェルと、この可動フィードウェルの内側または外側を高さ方向へ移動し、少なくとも下端部分に前記開口部が形成された整流板支持部材とを備え、
この整流板支持部材の下端に前記整流板を取り付けた、
ことを特徴とする沈殿槽装置。
【請求項６】
請求項４または請求項５に記載の沈殿槽装置において、
前記開口部が前記整流板支持部材の上方へ延ばして形成され、
前記フィードウェルの内外を連通させる前記開口部の開口面積を調整可能にした、
ことを特徴とする沈殿槽装置。
【請求項７】
請求項１から請求項６のいずれか１項に記載の沈殿槽装置において、
前記開口部の周囲の所定部に流速計を設けた、
ことを特徴とする沈殿槽装置。
【請求項８】
請求項１から請求項７のいずれか１項に記載の沈殿槽装置において、
前記整流板または前記整流板支持部材の下方に汚泥センサーを設けた、
ことを特徴とする沈殿槽装置。
【発明の詳細な説明】
【技術分野】
【０００１】
この発明は、活性汚泥処理設備、凝集沈殿処理設備などの排水処理設備において、被処理水である汚泥混合液の固液分離に用いられるスラッジブランケット型の沈殿槽装置に関するものである。
【背景技術】
【０００２】
従来、活性汚泥処理設備や凝集沈殿処理設備などでは、汚泥混合液を処理水と汚泥とに分離する手段として沈殿槽装置を用いている。
この沈殿槽装置は、汚泥混合液中の濁質や微細な懸濁物質（ＳＳ）を除去して良好な処理水を得るため、沈殿槽の中央にフィードウェルを配置し、このフィードウェルの下側に、フィードウェルと所定間隔をあけて円錐形整流板を取り付けた構成とされている。
そして、沈殿槽内に形成したスラッジブランケット層の上側表面（界面）から下側へ１０ｃｍ〜２０ｃｍの部分へ、フィードウェルと円錐形整流板との間から汚泥混合液を流入させてスラッジブランケット層を通過させることにより、界面の上昇を防ぎながら汚泥混合液中の濁質や微細な懸濁物質を濾過分離するスラッジブランケット濾過方式が採用されている。
【特許文献１】登録実用新案第２５４４６６８０号公報
【特許文献２】特開２０００−３２５７０６号公報
【発明の開示】
【発明が解決しようとする課題】
【０００３】
従来の沈殿槽装置は、フィードウェルの下側に円錐形整流板を取り付けた構成とされているので、フィードウェルと円錐形整流板との間からの被処理水がスラッジブランケット層内を円錐面状に拡がる。
このように被処理水が円錐面状に拡がることにより、沈殿槽内の面積を有効に利用することができなかった。
また、被処理水が円錐面状に拡がることにより、所期した深さよりも下側へ被処理水が供給されるため、スラッジブランケット層の上側表面が上昇することにより、良好な処理水が得られなくなる。
【０００４】
この発明は、沈殿槽内の面積を有効に利用して効率よく被処理水を処理水と汚泥とに分離し、良好な処理水を得ることのできる沈殿槽装置を提供するものである。
【課題を解決するための手段】
【０００５】
この発明は、以下のような発明である。
（１）沈殿槽の中央にフィードウェルが配置され、このフィードウェルの下側に、前記フィードウェルと所定間隔をあけて整流板が配置された沈殿槽装置において、前記整流板を平板にしたことを特徴とする。
（２）（１）の沈殿槽装置において、前記フィードウェルと前記整流板との間の開口部の高さ方向の位置を調整可能にしたことを特徴とする。
（３）沈殿槽の中央にフィードウェルが配置された沈殿槽装置において、前記フィードウェルの下端部分に開口部を設け、前記フィードウェルの下端に平板からなる整流板を取り付け、前記開口部の高さ方向の位置を調整可能にしたことを特徴とする。
（４）（３）の沈殿槽装置において、前記フィードウェルは、固定フィードウェルと、この固定フィードウェルの内面または外面に沿って高さ方向へ摺動し、少なくとも下端部分に前記開口部が形成された整流板支持部材とを備え、この整流板支持部材の下端に前記整流板を取り付けたことを特徴とする。
（５）（３）の沈殿槽装置において、前記フィードウェルは、固定フィードウェルと、この固定フィードウェルの内側または外側を高さ方向へ移動する可動フィードウェルと、この可動フィードウェルの内側または外側を高さ方向へ移動し、少なくとも下端部分に前記開口部が形成された整流板支持部材とを備え、この整流板支持部材の下端に前記整流板を取り付けたことを特徴とする。
（６）（４）または（５）の沈殿槽装置において、前記開口部が前記整流板支持部材の上方へ延ばして形成され、前記フィードウェルの内外を連通させる前記開口部の開口面積を調整可能にしたことを特徴とする。
（７）（１）から（６）のいずれか１つの沈殿槽装置において、前記開口部の周囲の所定部に流速計を設けたことを特徴とする。
（８）（１）から（７）のいずれか１つの沈殿槽装置において、前記整流板または前記整流板支持部材の下方に汚泥センサーを設けたことを特徴とする。
【発明の効果】
【０００６】
この発明によれば、整流板を平板にしたので、平板を水平に取り付けて被処理水を水平に流出させることにより、沈殿槽内の面積を有効に利用して効率よく被処理水を処理水と汚泥とに分離することができる。
そして、整流板との間の開口部の高さ方向の位置を調整可能にしたので、開口部の位置をスラッジブランケット層の上側表面から下側へ１０ｃｍ〜２０ｃｍに位置させることにより、良好な処理水を得ることができる。
また、フィードウェルを、固定フィードウェルと、少なくとも下端部分に開口部が形成された整流板支持部材とで構成し、または、固定フィードウェルと、可動フィードウェルと、少なくとも下端部分に開口部が形成された整流板支持部材とで構成したので、開口部の高さ方向の位置を調整することができる。
そして、フィードウェルの内外を連通させる開口部の開口面積を調整可能にしたので、開口部から流出する被処理水の流速を所望の値に変えることができる。
次に、開口部の周囲に流速計を設けたので、開口部から流出する被処理水の流速を制御することにより、沈殿槽内の面積をさらに有効に利用して効率よく被処理水を処理水と汚泥とに分離することができる。
また、汚泥センサーを設けたので、開口部の位置をスラッジブランケット層の上側表面から下側へ、例えば、１０ｃｍ〜２０ｃｍに位置させることにより、良好な処理水を得ることができる。
【発明を実施するための最良の形態】
【０００７】
以下、この発明の実施例について説明する。
【実施例１】
【０００８】
図１はこの発明の第１実施例である沈殿槽装置の説明図である。
図１において、１１は沈殿槽を示し、内周の上側に、例えば、周回させて集水樋１２が取り付けられるとともに、上端に中央部分を通るようにフィードウェル支持部材１３が差し渡して取り付けられている。
２１は円筒形状のフィードウェルを示し、沈殿槽１１の中央に位置するように、上側の外周がフィードウェル支持部材１３に取り付けられている。
３１は円形の平板からなる整流板を示し、フィードウェル２１の下端に、フィードウェル２１と所定間隔をあけて、すなわち、フィードウェル２１と整流板３１との間に周方向へ不連続な開口部Ｏを形成するように複数の連結杆からなる整流板取付部材３２で水平に取り付けられている。
【０００９】
５１はフィードウェル２１内へ被処理水を供給する被処理水供給管、５２は樋１２から処理水を排出する処理水排出管を示す。
６１は流速計を示し、開口部Ｏから流出する被処理水の流速を計測するため、開口部Ｏの周囲の所定部、例えば、整流板３１の上に設けられている。
６２は汚泥センサーを示し、沈殿槽１１内に形成したスラッジブランケット層Ｓの上側表面（界面）を検出するものであり、超音波式、光電管式などの形式のものを用いることができる。
【００１０】
次に、被処理水の処理水と汚泥とへの分離について説明する。
まず、被処理水供給管５１からフィードウェル２１内へ被処理水を供給すると、被処理水は整流板３１で流れが整流されて開口部Ｏから放射方向へ均一に流出し、スラッジブランケット層Ｓ内へ流入する。
このとき、開口部Ｏから流出する被処理水の流速は、流速計６１によって計測される。
そして、スラッジブランケット層Ｓ内へ流入した被処理水は、スラッジブランケット層Ｓを通過することにより、汚泥、濁質や微細な懸濁物質が除去され、処理水となって上昇して集水樋１２内へと流入する。
そして、集水樋１２内へ流入した処理水は、処理水排出管５２から排出され、再利用されたり、放流される。
【００１１】
この第１実施例によれば、整流板３１を平板にしたので、被処理水をフィードウェル２１と直交する方向へ開口部Ｏから流出させることにより、沈殿槽１１内の面積を有効に利用して効率よく被処理水を処理水と汚泥とに分離することができる。
そして、開口部Ｏの周囲の所定部（この実施例では整流板３１の上）に流速計６１を設けたので、フィードウェル２１内へ供給する被処理水の量を制御し、開口部Ｏから流出する被処理水の流速を制御してフィードウェル２１から遠いスラッジブランケット層Ｓをも有効に活用することにより、沈殿槽１１内の面積をさらに有効に利用して効率よく被処理水を処理水と汚泥とに分離することができる。
また、汚泥センサー６２を設けたので、スラッジブランケット層Ｓの上側表面（界面）を汚泥センサー６２の出力に基づいて検出した後、開口部Ｏの位置がスラッジブランケット層Ｓの上側表面から下側へ、例えば、１０ｃｍ〜２０ｃｍとなるようにして被処理水を供給することにより、良好な処理水を得ることができる。
【実施例２】
【００１２】
図２はこの発明の第２実施例である沈殿槽装置の説明図、図３は図２に示したフィードウェルの分解斜視図であり、図１と同一または相当部分に同一符号を付して説明を省略する。
これらの図において、フィードウェル２１は、沈殿槽１１の中央に位置するように、上側の外周がフィードウェル支持部材１３に取り付けられた円筒形状の固定フィードウェル２２と、この固定フィードウェル２２の外面に沿って高さ方向（軸方向）へ摺動する整流板支持部材２４とで構成されている。
【００１３】
上記した固定フィードウェル２２には、外周に軸方向へ下端から上端まで延びる案内溝２２ａが、例えば、９０度分割で４つ設けられている。
また、整流板支持部材２４は、整流板３１の上面に９０度分割で下端が取り付けられ、固定フィードウェル２２の各案内溝２２ａで上下に案内される４つの支持部２４ａと、この４つの支持部２４ａの上端の外側を環状に連結する環状連結部２４ｃとで構成されている。
なお、１つの支持部２４ａは、環状連結部２４ｃから上側へ所定長延長され、この延長部分の外面に上下方向へラック２４ｂが設けられている。
したがって、開口部Ｏは、整流板支持部材２４に下端から上方へ延ばして形成されている。
【００１４】
４３はフィードウェル支持部材１３に取り付けられたモーター、４４はモーター４３の回転軸に取り付けられた歯車を示し、この歯車４３は、整流板支持部材２４のラック２４ｂに噛み合っている。
【００１５】
この第２実施例における被処理水の処理水と汚泥とへの分離は、第１実施例と同様になるので、説明を省略する。
そして、開口部Ｏから流出する被処理水の流速を変化させる場合は、モーター４３を回転させ、歯車４４を介してラック２４ｂの設けられている整流板支持部材２４を上下動させることにより、フィードウェル２１の内外を連通させる開口部Ｏの開口面積を調整する。
【００１６】
この第２実施例によれば、第１実施例と同様な効果を得ることができる。
そして、フィードウェル２１を、固定フィードウェル２２と、この固定フィードウェル２２の外面に沿って高さ方向へ摺動し、下端部分から上方へ延びる開口部Ｏが形成された整流板支持部材２４とで構成し、フィードウェル２１の内外を連通させる開口部Ｏの開口面積を調整できるようにしたので、整流板支持部材２４を上下動させて開口部Ｏの開口面積を変化させることにより、開口部Ｏから流出する被処理水の流速を所望の値に変えることができる。
【実施例３】
【００１７】
図４はこの発明の第３実施例である沈殿槽装置の説明図、図５は図４に示したフィードウェルの分解斜視図であり、図１〜図３と同一または相当部分に同一符号を付して説明を省略する。
これらの図において、フィードウェル２１は、沈殿槽１１の中央に位置するように、上側の外周がフィードウェル支持部材１３に取り付けられた円筒形状の固定フィードウェル２２と、この固定フィードウェル２２の外面に沿って高さ方向（軸方向）へ摺動する円筒形状の可動フィードウェル２３と、この可動フィードウェル２３の外面に沿って高さ方向（軸方向）へ摺動する整流板支持部材２４とで構成されている。
【００１８】
上記した固定フィードウェル２２には、外周に軸方向へ下端から上端まで延びる案内溝２２ａが１つ設けられている。
また、可動フィードウェル２３には、内周に、固定フィードウェル２２の案内溝２２ａで上下に案内される被案内突条２３ａが設けられ、外周に、軸方向へ下端から上端まで延びる案内溝２３ｃが、被案内突条２３ａを含めて９０度分割で設けられている。
なお、被案内突条２３ａは、上側へ所定長延長され、この延長部分の外面に上下方向へラック２３ｂが設けられている。
【００１９】
そして、整流板支持部材２４は、整流板３１の上面に９０度分割で下端が取り付けられ、可動フィードウェル２３の各案内溝２３ｃで上下に案内される３つの支持部２４ａと、この３つの支持部２４ａの上端の外側を環状に連結する環状連結部２４ｃとで構成されている。
なお、１つの支持部２４ａは、環状連結部２４ｃから上側へ所定長延長され、この延長部分の外面に上下方向へラック２４ｂが設けられている。
したがって、開口部Ｏは、整流板支持部材２４に下端から上方へ延ばして形成されている。
【００２０】
４１はフィードウェル支持部材１３に取り付けられたモーター、４２はモーター４１の回転軸に取り付けられた歯車を示し、この歯車４２は、可動フィードウェル２３のラック２３ｂに噛み合っている。
【００２１】
この第３実施例における被処理水の処理水と汚泥とへの分離は、第１実施例と同様になるので、説明を省略する。
そして、開口部Ｏから流出する被処理水の流速を変化させる場合は、モーター４１，４３を回転させ、歯車４２，４４を介してラック２３ｂ，２４ｂの設けられている可動フィードウェル２３、整流板支持部材２４を上下動させることにより、フィードウェル２１の内外を連通させる開口部Ｏの開口面積を調整する。
また、モーター４１，４３を回転させ、歯車４２，４４を介してラック２３ｃ，２４ｂの設けられている可動フィードウェル２３、整流板支持部材２４を上下動させることにより、フィードウェル２１の内外を連通させる開口部Ｏの高さ方向の位置を調整する。
【００２２】
この第３実施例によれば、第１実施例と同様な効果を得ることができる。
そして、フィードウェル２１を、固定フィードウェル２２と、この固定フィードウェル２２の外面に沿って高さ方向へ摺動する可動フィードウェル２３と、この可動フィードウェル２３の外面に沿って高さ方向へ摺動し、下端部分から上方へ延びる開口部Ｏが形成された整流板支持部材２４とで構成し、フィードウェル２１の内外を連通させる開口部Ｏの開口面積を調整できるようにしたので、可動フィードウェル２３および／または整流板支持部材２４を上下動させて開口部Ｏの開口面積を変化させることにより、開口部Ｏから流出する被処理水の流速を所望の値に変えることができ、また、開口部Ｏの開口面積を一定にしたまま、開口部Ｏの位置を所望の位置に変えることができる。
【００２３】
上記した第１実施例では、フィードウェル２１をフィードウェル支持部材１３に固定する構成としたが、他の実施例のように、フィードウェル２１を上下動させる構成とし、開口部Ｏの高さ方向の位置を調整できるようにしてもよい。
また、第２実施例では、整流板支持部材２４を固定フィードウェル２２の外側に位置させる構成としたが、整流板支持部材２４を固定フィードウェル２２の内側に位置させる構成としても、同様な効果を得ることができる。
次に、第２実施例では、固定フィードウェル２２の外側に可動フィードウェル２３を位置させ、可動フィードウェル２３の外側に整流板支持部材２４を位置させる構成としたが、固定フィードウェル２２の外側に整流板支持部材２４を位置させ、整流板支持部材２４の外側に可動フィードウェル２３を位置させたり、固定フィードウェル２２の外側に可動フィードウェル２３を位置させ、固定フィードウェル２２の内側に整流板支持部材２４を位置させたり、固定フィードウェル２２の外側に整流板支持部材２４を位置させ、固定フィードウェル２２の内側に可動フィードウェル２３を位置させたり、固定フィードウェル２２の内側に可動フィードウェル２３を位置させ、可動フィードウェル２３の内側に整流板支持部材２４を位置させたり、固定フィードウェル２２の内側に整流板支持部材２４を位置させ、整流板支持部材２４の内側に可動フィードウェル２３を位置させる構成としても、同様な効果を得ることができる。
また、第２および第３実施例では、開口部Ｏを整流板支持部材２４の下端から上方へ延ばして形成したが、開口部Ｏの高さを図３および図５に二点鎖線で示すようにすることにより、開口部Ｏの高さ方向の位置を調整することができる。
さらに、上記した実施例では、可動フィードウェル２３、整流板支持部材２４を上下動させる駆動機構を、ラック２３ｂ，２４ｂと、このラック２３ｂ，２４ｂに噛み合う歯車４２，４４と、この歯車４２，４４を回転させるモーター４１，４３とで構成したが、同様に可動フィードウェル２３、整流板支持部材２４を上下動させることができれば、構成の異なる他の駆動機構であってもよい。
【図面の簡単な説明】
【００２４】
【図１】この発明の第１実施例である沈殿槽装置の説明図である。
【図２】この発明の第２実施例である沈殿槽装置の説明図である。
【図３】図２に示したフィードウェルの分解斜視図である。
【図４】この発明の第３実施例である沈殿槽装置の説明図である。
【図５】図４に示したフィードウェルの分解斜視図である。
【符号の説明】
【００２５】
１１        沈殿槽
１２        集水樋
１３        フィードウェル支持部材
２１        フィードウェル
２２        固定フィードウェル
２２ａ      案内溝
２３        可動フィードウェル
２３ａ      被案内突条
２３ｂ      ラック
２３ｃ      案内溝
２４        整流板支持部材
２４ａ      支持部
２４ｂ      ラック
２４ｃ      環状連結部
３１        整流板
３２        整流板取付部材
４１，４３  モーター
４２，４４  歯車
５１        被処理水供給管
５２        処理水排出管
６１        流速計
６２        汚泥センサー
Ｏ          開口部
Ｓ          スラッジブランケット層
【図１】
2005066533.tif 000003
【図２】
2005066533.tif 000004
【図３】
2005066533.tif 000005
【図４】
2005066533.tif 000006
【図５】
2005066533.tif 000007